(57)【要約】      （修正有）【課題】小用専用の小便器と大小用兼用の大便器の周囲部床面に、飛散したり便器漏れした尿を吸収すると共に尿が分解して発生する悪臭を消臭し、且つ発生する雑菌を抗菌処理する能力を持ったトイレ用マットを提供し、トイレ内の衛生環境を向上させる。【解決手段】消臭剤と抗菌剤を含浸した表面部２と凹凸加工処理した裏面部３を袋状に縫製したマット本体１に、上層部を消臭剤と抗菌剤を含浸した通水性のある不織布、中層部を消臭ポリマーと抗菌ポリマーと高分子吸水樹脂及び上層部とは主成分の異なる消臭剤を混合した不織布、下層部を交換作業が容易に出来る硬度に処理した不織布の三層を接着させた構造を持つ尿吸収シート４を挿入することにより、マット本体１に滴下した尿滴は素早く吸収拡散されると同時に通水し、本体内部の尿吸収シート４でゲル化された後消臭され、雑菌が増殖しないよう抗菌処理される。【選択図】図１
2012239854.tif 000002
【特許請求の範囲】
【請求項１】
便器周辺部の床面に敷かれて使用されるトイレ用マットにおいて、前記マットの本体が第一の消臭剤と第二の抗菌剤を含浸させ通水性と水拡散性の機能を付与した不織布から成る表面部と、床面に接する片面を梨地模様で凹凸加工処理することにより滑り止めの機能を付与した基布付き塩化ビニルシートから成る裏面部とにより、一辺が開口するよう袋状に形成されていることを特徴とする交換式トイレ用マット。
【請求項２】
前記マットの本体内部に尿吸収シートが設けられ、その尿吸収シートは上層部が第一の消臭剤と第二の抗菌剤を含浸させた通水性のある不織布から成り、中層部が第三の消臭ポリマーと第四の抗菌ポリマーと第五の消臭剤及び高分子吸収樹脂を混合させた不織布から成り、下層部が差し込んだり取り出したり出来る硬度を持たせた不織布から成る、三層を接着させた構造のものであることを特徴とする請求項１に記載の交換式トイレ用マット。
【請求項３】
前記マット本体の表面部に酸化亜鉛を主成分とする第一の消臭剤とチッソイオウ系化合物を主成分とする第二の抗菌剤を含浸させ、前記尿吸収シートの上層部に前記第一の消臭剤と第二の抗菌剤を含浸させ、前記尿吸収シートの中層部にアクリル酸重合体部分ナトリウム塩架橋物を主成分とする第三の消臭ポリマーとアクリル酸重合体部分ナトリウム塩架橋物を主成分とする第四の抗菌ポリマーと二酸化ケイ素を主成分とする第五の消臭剤及び高分子吸収樹脂を混合させていることを特徴とする請求項１又は請求項２に記載の交換式トイレ用マット。
【発明の詳細な説明】
【技術分野】
【０００１】  本発明は床面に飛散したり便器漏れした尿を吸収し、尿が分解して発生する悪臭を消臭し、且つ発生する雑菌を抗菌処理する能力を持ったトイレ用マットに関するものである。小便器に限らず大小用兼用の大便器にも設置することが可能で、不潔になりがちでその臭気で不快感を感じるトイレ内の衛生管理を向上させるものである。
【背景技術】
【０００２】  これまでにも問題解決のため、特許文献１〜７のような提案が出されているが、これらは何れも、不織布等に消臭剤を保持させるか、又は通水性のマットの下に取替えが可能な不織布を敷き、こぼれた尿を吸収し悪臭を防ぐというものであった。
【先行技術文献】
【特許文献】
【０００３】
【特許文献１】特開０７−１９０２４１号
【特許文献２】特開０５−２３７８２４号
【特許文献３】特開０５−１３５３０号
【特許文献４】特開０４−１８８１５２号
【特許文献５】特開０２−３３６１６４号
【特許文献６】特開０２−２４８０６８号
【特許文献７】特開平９−１７３２４８号
【発明の概要】
【発明が解決しようとする課題】
【０００４】  しかしながら、これまでの提案のように単一の消臭剤を使用したり、単に取替えるだけではその効果が不充分であった。そのため本発明は、特定の消臭剤と抗菌剤をマット本体表面部と尿吸水シートの上層部と中層部に含浸又は混合させ、且つ尿吸収シートを交換可能にすることで、滴下した尿滴をゲル化した後発生する悪臭及び雑菌に対し消臭効果及び抗菌効果を向上させ上記問題を改善しようとするものである。
【課題を解決するための手段】
【０００５】  本発明は消臭剤及び抗菌剤を含浸させ通水性と水拡散性の機能を付与した表面部と凹凸加工処理した裏面部を袋状に縫製したマット本体と、上層部を消臭剤と抗菌剤を含浸した通水性のある不織布、中層部を消臭ポリマーと抗菌ポリマーと高分子吸水樹脂及び上層部とは主成分の異なる消臭剤を混合させた不織布、下層部を交換作業が容易に出来る硬度に処理した不織布の三層を接着させた構造を持つ交換可能な尿吸収シートとを作成し、マット本体に尿吸収シートを挿入する。マット本体に滴下した尿滴は素早く吸収拡散されると同時に通水し、本体内部にある尿吸収シートで素早く吸収され、高分子吸水樹脂でゲル化された後消臭され、雑菌が増殖しないよう抗菌処理されることにより問題点を解決している。
【発明の効果】
【０００６】  マット本体表面部に通水性及び水拡散性の機能を付与することにより、マット表面に滴下した尿は素早く吸収且つ拡散しながら本体表面部を通水し、滴下した尿が表面部に残存し悪臭を発生し雑菌が発生するのを低減させることができる。【０００７】  マット本体表面部に消臭剤及び抗菌剤を含浸することで、尿が分解して発生する悪臭を表面部から消臭し、且つ雑菌が増殖されないよう抗菌処理ができる。【０００８】  マット本体裏面部に凹凸加工処理することにより、滑り止めの機能が付与され、マットの移動を抑制し床面の所定位置に安定維持ができる。【０００９】  尿吸水シート上層部の通水性のある不織布に消臭剤と抗菌剤を含浸することで、表面部から滴下した尿は直ちに中層部の高分子吸収樹脂に吸収され、滴下した尿が上層部に残存し悪臭を発生させ、雑菌が増殖しないよう抗菌処理ができる。【００１０】  尿吸水シート中層部の不織布に消臭ポリマーと抗菌ポリマーと高分子吸水樹脂及び主成分の異なる消臭剤を混合させることにより、上層部から滴下した尿は直ちにゲル化された後、消臭され且つ雑菌が増殖されないよう抗菌処理ができる。【００１１】  尿吸水シート下層部の不織布に硬度化処理をすることにより、尿吸収シートの交換作業が容易になる。
【図面の簡単な説明】
【００１２】
【図１】本発明に係る第一の実施形態を示すマットの説明図（平面図）
【図２】同マット本体の説明図（平面図）
【図３】同マット本体の側面図
【図４】同尿吸収シートの平面図
【図５】同尿吸収シートの側面図
【図６】本発明に係る第二の実施形態を示すマットの説明図（平面図）
【図７】同尿吸収シートの平面図
【図８】本発明に係る第三の実施形態を示すマットの説明図（平面図）
【図９】同尿吸収シートの平面図
【発明を実施するための形態】
【００１３】  本発明の実施の形態を図面に基づいて説明する。図１〜５は本発明に係るトイレマットの第一の実施形態を示し、図１がマットの構造を示す説明図、図２がマット本体の説明図、図３がその側面図、図４が尿吸収シートの平面図、図５がその側面図である。
【００１４】  マット本体１はポリプロピレンとポリエステルを絡み合わせ、且つ通水性と水拡散性の機能を付与した不織布の表面部２と、防水性のある基布付き塩化ビニルシートを凹凸加工処理した裏面部３を、一辺に開口部７を設けるようにポリウレタン製の縫製用テープ５で袋状に縫製加工している。なお、開口部７は図１〜２、図６、図８のａの部分からｆの部分あたりまで開口する。
【００１５】  表面部２は生地形成時に通水性と水拡散機能を付与させ、消臭剤と抗菌剤を含浸することで通水性があり消臭抗菌機能を持っている。裏面部３はマットの移動を抑制し安定維持ができるよう床面に接する片面を梨地模様で凹凸加工処理をする。
【００１６】  素早く吸収し拡散する機能は又、利用者の履物裏に尿がつくことで床面が汚染されるのを防ぐことができる。
【００１７】  マット本体１は便器の形状に合わせて一部を切り欠きＶ字型で形成されている。図１に示すよう裏面部内側には尿吸収シートのズレを防ぐため面ファスナー６を縫合している。
【００１８】  マット本体１は人の履物で踏まれても、それに耐え得る相当な強度とクッション性を持つ構造にしている。
【００１９】  尿吸収シート４は便器の形状に合わせて一部を切り欠きＶ字型で形成され、開口部７よりマット本体１の内側に挿入される。
【００２０】  尿吸収シート４に使用する不織布８は通水性はあるが多孔性ではないため、尿がゲル化された後、そのゲル状物質をマット表面に戻さない被覆の機能も併せ持っている。
【００２１】  尿吸収シートは高分子吸収樹脂を含む不織布９を中間に置き、通水性のある不織布８と硬度化処理した不織布１０と接着させて形成される。この形成により滴下した尿が通水性のある不織布８を素早く通過し、高分子吸収樹脂を含む不織布９でゲル化され、その後双方に含まれる成分の異なる消臭剤と抗菌剤で尿が分解して発生する悪臭を消臭し、雑菌が増殖しないよう抗菌処理をする。
【００２２】  マット本体の表面部２と通水性のある不織布８は酸化亜鉛を主成分とした消臭剤とチッソイオウ系化合物を主成分とした抗菌剤を含浸している。不織布９は高分子吸収樹脂とアクリル酸重合体部分ナトリウム塩架橋物を主成分とする消臭ポリマーとアクリル酸重合体部分ナトリウム塩架橋物を主成分とする抗菌ポリマー及び二酸化ケイ素を主成分とする消臭剤を混合している。以上の様に主成分の相違する消臭剤と抗菌剤を組み合わせることにより、尿が分解して発生する悪臭に対し消臭効果、且つ雑菌が増殖されないよう抗菌効果を向上させた。
【００２３】  図６〜７は本発明に係るトイレマットの第二の実施形態を示す構造説明図である。前記第一の実施形態と同一部位には、同一符号を付す。この第二の実施形態のトイレマットの特徴は大小用兼用の大便器の形状にあわせ、一部を切り欠きＵ字型で形成されていることである。従って尿吸水シートもＵ字型に形成されている。大小用兼用の大便器に使用されるにふさわしい形状に形成されている。側面図は第一の実施形態と同様である。
【００２４】  図８〜９は本発明に係るトイレマットの第三の実施形態を示す構造説明図である。前記第一の実施形態と同一部位には、同一符号を付す。この第三の実施形態のトイレマットの特徴は長方形状に形成されていることである。従って尿吸水シートも長方形状に形成されている。便器の尿受け部の下に空間があくように壁面に取り付けられた小便器や、取付け位置の横側面に空間があるような便器に使用されるにふさわしい形状に形成されている。側面図は第一の実施形態と同様である。
【符号の説明】
【００２５】  １  マット本体
２  表面部
３  裏面部
４  尿吸収シート
５  縫製用テープ
６  面ファスナー
７  開口部
８  通水性のある不織布
９  高分子吸収樹脂を含む不織布
１０  硬度化処理した不織布
【図１】
2012239854.tif 000003
【図２】
2012239854.tif 000004
【図３】
2012239854.tif 000005
【図４】
2012239854.tif 000006
【図５】
2012239854.tif 000007
【図６】
2012239854.tif 000008
【図７】
2012239854.tif 000009
【図８】
2012239854.tif 000010
【図９】
2012239854.tif 000011